(57)【要約】      （修正有）【課題】嚥下機能や咀嚼力が低下している高齢者などが、飲食用スプーンを使用した場合、飲食用スプーンの皿状部分の表面と裏面に食べものが付着することなく使用することができる飲食用両面凹凸付スプーンを提供する。【解決手段】飲食用両面凹凸付スプーン１００は、スプーン本体部１０と柄部２０を有し、スプーン本体部１０は、スプーン表面１１とスプーン裏面１２を有している。スプーン表面１１には、複数の表面凹凸１１ａが形成されており、また、スプーン裏面１２には、複数の裏面凹凸１２ａが形成されている。このような飲食用両面凹凸付スプーン１００は、食物を掬い食するときに、食物がくっつき難いという顕著な効果を有する構成となっている。【選択図】図１
0003217771.tif 000002
【実用新案登録請求の範囲】
【請求項１】
食物を掬いのせるように皿状に形成されているスプーン本体部と、手で把持されるように前記スプーン本体部と一体的に形成されている柄部を有する飲食用両面凹凸付スプーンであって、
前記スプーン本体部は、スプーン表面とスプーン裏面を有し、
前記スプーン表面には、複数の表面凹凸が形成されており、
前記スプーン裏面には、複数の裏面凹凸が形成されていることを特徴とする飲食用両面凹凸付スプーン。
【請求項２】
前記複数の表面凹凸のそれぞれの凹凸及び前記複数の裏面凹凸のそれぞれの凹凸は、半円状の突起であることを特徴とする請求項１に記載の飲食用両面凹凸付スプーン。
【請求項３】
前記複数の表面凹凸の数量は、前記複数の裏面凹凸の数量よりも、多くなるように形成されていることを特徴とする請求項１または請求項２に記載の飲食用両面凹凸付スプーン。
【請求項４】
前記スプーン本体部と前記柄部の素材は、金属、合成樹脂、陶器、磁器、木、竹であることを特徴とする請求項１から請求項３のいずれかに記載の飲食用両面凹凸付スプーン。
【考案の詳細な説明】
【技術分野】
【０００１】
本考案は、飲食用両面凹凸付スプーンに関する。
【背景技術】
【０００２】
飲食用スプーンは、料理を食べるときの食器として使われるものであり、素材としては、ステンレスなどの金属製、木製、陶器製、プラスチック製などがある。一般的な形状は、食べものを掬ってのせる皿状の部分と、手で持つための柄部分で構成されており、例えは、手が不自由で手指に力をいれることが困難な場合でも、安定した状態で手の中に収めるようにしたものが開示されている。
【先行技術文献】
【特許文献】
【０００３】
【特許文献１】実登３１４３２３０号公報
【考案の概要】
【考案が解決しようとする課題】
【０００４】
高齢者など、嚥下機能や咀嚼力が低下しており、例えば、飲食用スプーンを使用した場合、飲食用スプーンの皿状部分の表面と裏面に食べものが付着し、この付着物を口の中で取ることが困難な場合がある。このような問題を解決できる飲食用スプーンが求められていた。
【０００５】
本考案は、こうした点に鑑みてなされたものであり、嚥下機能や咀嚼力が低下している高齢者などが、飲食用スプーンを使用した場合、飲食用スプーンの皿状部分の表面と裏面に食べものが付着することなく、また、口の中の水分の少なくなった高齢者などでも口中でスプーンがくっつくことなくスムーズに出し入れができることなどにより、安心且つ安全に使用することができる飲食用両面凹凸付スプーンを提供することである。
【課題を解決するための手段】
【０００６】
上記課題を解決するために、本考案に係る飲食用両面凹凸付スプーンは、食物を掬いのせるように皿状に形成されているスプーン本体部と、手で把持されるように前記スプーン本体部と一体的に形成されている柄部を有する飲食用両面凹凸付スプーンであって、前記スプーン本体部は、スプーン表面とスプーン裏面を有し、前記スプーン表面には、複数の表面凹凸が形成されており、前記スプーン裏面には、複数の裏面凹凸が形成されていることを特徴とする。
【０００７】
本考案に係る飲食用両面凹凸付スプーンの態様について、前記複数の表面凹凸のそれぞれの凹凸及び前記複数の裏面凹凸のそれぞれの凹凸は、半円状の突起であることが好ましい。
【０００８】
本考案に係る飲食用両面凹凸付スプーンの態様について、前記複数の表面凹凸の数量は、前記複数の裏面凹凸の数量よりも、多くなるように形成されていることが好ましく、また、前記スプーン本体部と前記柄部の素材は、金属、合成樹脂、陶器、磁器、木、竹などであることが好ましい。
【考案の効果】
【０００９】
本考案によれば、嚥下機能や咀嚼力が低下している高齢者などが、飲食用スプーンを使用した場合、飲食用スプーンの皿状部分の表面と裏面に食べものが付着することなく、また、口の中の水分の少なくなった高齢者などでも口中でスプーンがくっつくことなくスムーズに出し入れができることなどにより、安心且つ安全に使用することができる飲食用両面凹凸付スプーンを提供することができる。また、本考案の飲食用両面凹凸付スプーンは、高齢者のみならず、子供や成人においても、食事をスムーズに行うことができるという効果を有しており、各種スプーンに応用ができる優れたものである。
【図面の簡単な説明】
【００１０】
【図１】実施形態の飲食用両面凹凸付スプーンの一例を示す模式図である。
【考案を実施するための形態】
【００１１】
以下、本考案の飲食用両面凹凸付スプーンの実施形態を、図１を用いて説明する。図１（ａ）は、飲食用両面凹凸付スプーン１００を表から見た模式図であり、スプーン表面１１に設けられた表面凹凸１１ａを示している。図１（ｂ）は、飲食用両面凹凸付スプーン１００を裏から見た模式図であり、スプーン裏面１２に設けられた裏面凹凸１２ａを示している。図１（ｃ）は、飲食用両面凹凸付スプーン１００を横方向から見た模式図であり、スプーン裏面１２に設けられた裏面凹凸１２ａを示している。図１（ｄ）は、図１（ａ）のＡ−Ａ線が示す断面図であり、スプーン表面１１に設けられた表面凹凸１１ａ及びスプーン裏面１２に設けられた裏面凹凸１２ａを示している。
【００１２】
本考案の実施形態の飲食用両面凹凸付スプーン１００は、食物を掬いのせるように皿状に形成されているスプーン本体部１０と、手で把持されるように前記スプーン本体部と一体的に形成されている柄部２０を有する構成となっている。上記の飲食用両面凹凸付スプーン１００のスプーン本体部１０と柄部２０は、一般的な飲食用スプーンの構成を基本としており、大きさ、形状、材質など種々のものがあり限定されるものではなく、適宜最適な飲食用両面凹凸付スプーン１００の構成とすることが可能である。
【００１３】
上記のとおり、飲食用両面凹凸付スプーン１００は、スプーン本体部１０と柄部２０を有しており、スプーン本体部１０は、スプーン表面１１とスプーン裏面１２を有している。なお、本考案の飲食用両面凹凸付スプーン１００は、テーブルスプーン、スープスプーン、デザートスプーンなどの各種スプーンに対応できるものである。また、飲食用両面凹凸付スプーン１００の素材、つまりスプーン本体部１０と柄部２０の素材は、金属、合成樹脂、陶器、磁器、木、竹などであるが、限定されることなく、適宜最適な素材を選択するとよい。
【００１４】
本考案の特徴として、スプーン表面１１には、複数の表面凹凸１１ａが形成されており、また、スプーン裏面１２には、複数の裏面凹凸１２ａが形成されている。
【００１５】
複数の表面凹凸１１ａのそれぞれの凹凸及び複数の裏面凹凸１２ａのそれぞれの凹凸は、半円状の突起であってもよいが、これは一例であり、上記の凹凸は、適宜最適な形状にすればよい。
【００１６】
また、飲食用両面凹凸付スプーン１００は、実施形態の一例として、複数の表面凹凸１１ａの数量が、複数の裏面凹凸１１ｂの数量よりも、多くなるように形成されてもよい。このように飲食用両面凹凸付スプーン１００を形成することにより、スプーン裏面２０が口の中で滑りやすい構成にすることができる。なお、この構成は、一例であり、使用形態に応じて、複数の表面凹凸１１ａの数量が、複数の裏面凹凸１１ｂの数量よりも、少なくなるように形成されてもよく、また、同じ数量になるように形成されてもよい。
【００１７】
このように本考案は、スプーン表面１１に、複数の表面凹凸１１ａが設けられていることにより、スプーン本体部１０で掬われた食物が、スプーン表面１１に、くっつき難い構成となっており、同時に、スプーン裏面１２に、複数の裏面凹凸１２ａが設けられていることにより、スプーン本体部１０で掬われた食物が、スプーン裏面１２に、くっつき難い構成となっている。このような飲食用両面凹凸付スプーン１００は、食物を掬い食するときに、食物がくっつき難いという顕著な効果を有する構成となっている。
【００１８】
また、本考案の飲食用両面凹凸付スプーン１００を用いることで、スプーン表面１１及びスプーン裏面１２にくっついた食べ物を簡単にとることができ、特に、嚥下力が弱くまた咀嚼力が弱い高齢者、子供などにおいて、食事がスムーズにでき、きれいに食べることができる優れたものである。また、本考案は、上記の高齢者や子供のみならず成人であっても、飲食用両面凹凸付スプーン１００を使用することにより、食事を簡易にきれいにすることができ、快適な食生活とすることができる顕著な効果を有するものである。
【００１９】
以上、本考案の有する特徴及び優れた点を上記実施形態に記載したが、本考案は、本願の実用新案登録請求の範囲で使用されている言葉を広く一般的な意味に拡張して実施することができる。
【００２０】
また、本考案の飲食用両面凹凸付スプーンは、大きさや形状、素材の種類、厚さ、重さなどについては多様な実施形態が可能であり、それらについて本実施形態と異なる形態による実施は、本考案の技術的範囲に含まれる。
【符号の説明】
【００２１】
１００    飲食用両面凹凸付スプーン
１０      スプーン本体部
１１      スプーン表面
１１ａ    表面凹凸
１２      スプーン裏面
１２ａ    裏面凹凸
２０      柄部
【図１】
0003217771.tif 000003